(57)【要約】【課題】よりスリムな液晶表示装置を実現する。【解決手段】液晶表示装置が開示されている。液晶表示装置は第１の基板と、第１の基板に対向して配置される第２の基板と、第１の基板と第２の基板との間に介在する液晶層と、第２の基板の側面上に配置され、第２の基板に対して光を射出する光源と、を含む。液晶表示装置は第２の基板の側面を通じて光が入射され、入射された光によって映像が表示される。よって、本発明による液晶表示装置は、別途の導光板などを必要としないために、既存の方式よりスリムに形成することができる長所がある。【選択図】図１
2010521714.tif 000002
【特許請求の範囲】
【請求項１】
第１の基板と、
前記第１の基板に対向して配置される第２の基板と、
前記第１の基板と前記第２の基板との間に介在する液晶層と、
前記第２の基板の側面上に配置されて前記第２の基板に対して光を射出する光源と、
を備える液晶表示装置。
【請求項２】
前記第１の基板と前記第２の基板との間に介在する偏光層をさらに備える請求項１に記載の液晶表示装置。
【請求項３】
前記第１の基板と前記第２の基板との間に介在し、光の一部を下方に反射させる反射型偏光フィルムをさらに備える請求項１に記載の液晶表示装置。
【請求項４】
前記第２の基板の下部に配置され、散乱パターンを有する散乱部材をさらに備える請求項１に記載の液晶表示装置。
【請求項５】
前記散乱部材及び前記第２の基板に密着する粘着部材をさらに備える請求項４に記載の液晶表示装置。
【請求項６】
前記粘着部材の屈折率は、前記第２の基板の屈折率に対応する請求項５に記載の液晶表示装置。
【請求項７】
前記第１の基板上に配置される第１のプリズムシートと、
前記第２の基板の下部に配置される第２のプリズムシートと、
前記第１のプリズムシートの下部に配置される反射シートと、
をさらに備える請求項１に記載の液晶表示装置。
【請求項８】
前記第２のプリズムシートと前記反射シートとは、相互に接触する請求項７に記載の液晶表示装置。
【請求項９】
前記第１のプリズムシートは、第１の方向に延びる第１のプリズムパターンを含み、
前記第２のプリズムシートは第２の方向に延びる第２のプリズムパターンを含む請求項７に記載の液晶表示装置。
【請求項１０】
前記第１の基板上に配置される第１のプリズムシートと、
前記第１のプリズムシート上に密着されて配置される偏光シートと、
前記偏光シートに密着して配置される第２のプリズムシートと、をさらに備える請求項１に記載の液晶表示装置。
【請求項１１】
相互に対向する第１の基板及び第２の基板を含む液晶パネルと、
前記第２の基板に連結される連結基板と、
前記連結基板に実装され、前記第２の基板の側面に対して光を射出する光源と、
を備える液晶表示装置。
【請求項１２】
前記液晶パネルは、前記第１の基板と前記第２の基板との間に介在する反射偏光層を備える請求項１１に記載の液晶表示装置。
【請求項１３】
前記第２の基板は、
透明もしくは半透明なベース基板と、
前記ベース基板上に配置される偏光層と、
前記偏光層上に形成される多数個の配線と、
を備える請求項１１に記載の液晶表示装置。
【請求項１４】
前記連結基板は、前記配線のうち少なくとも１つに連結される請求項１３に記載の液晶表示装置。
【請求項１５】
前記第２の基板は、
透明もしくは半透明なベース基板と、
前記ベース基板上に形成され、多数個の配線を含むＴＦＴ層と、
前記ＴＦＴ層上に形成される偏光層と、
を備える請求項１１に記載の液晶表示装置。
【請求項１６】
液晶パネルと、
前記液晶パネルの内側に配置される偏光層と、
前記液晶パネルの下部面に密着する散乱部材と、
前記液晶パネルの側面に配置される光源と、
を備える液晶表示装置。
【請求項１７】
前記液晶パネル上に配置される光学シートをさらに備える請求項１６に記載の液晶表示装置。
【請求項１８】
前記偏光層の下部に形成され、屈折率が互いに異なる多数個の層をさらに備える請求項１６に記載の液晶表示装置。
【請求項１９】
前記散乱部材は、突起パターンを有するフィルムを含み、かつ、前記散乱部材と前記液晶パネルとの間に介在する粘着部材によって前記液晶パネルに密着する請求項１６に記載の液晶表示装置。
【請求項２０】
前記光源から発生する光は、前記液晶パネルの側面を通じて前記液晶パネルに入射され、前記入射された光によって映像が表示される請求項１６に記載の液晶表示装置。
【発明の詳細な説明】
【技術分野】
【０００１】
本発明は液晶表示装置に関する。
【背景技術】
【０００２】
情報処理技術の発達に伴い、ＬＣＤ、ＰＤＰ及びＡＭＯＬＥＤのようなフラットな表示装置等が多く用いられている。このようなフラットな表示装置は携帯用に広く用いられており、よりスリムに形成される必要がある。
【発明の概要】
【発明が解決しようとする課題】
【０００３】
本発明はよりスリムな液晶表示装置を提供することを課題とする。
【課題を解決するための手段】
【０００４】
本発明による液晶表示装置は、第１の基板と、第１の基板に対向して配置される第２の基板と、第１の基板及び第２の基板の間に介在する液晶層と、第２の基板の側面上に配置されて第２の基板に対して光を射出する光源と、を含む。
【０００５】
また、本発明による液晶表示装置は、相互に対向する第１の基板及び第２の基板を含む液晶パネルと、第２の基板に連結される連結基板と、連結基板に実装されて第２の基板の側面に対して光を射出する光源と、を含む。
【０００６】
また、本発明による液晶表示装置は、液晶パネルと、液晶パネル上に配置される偏光シートと、液晶パネルの下部面に密着される散乱部材と、液晶パネルの側面に配置される光源と、を含む。
【発明の効果】
【０００７】
本発明による液晶表示装置は、液晶パネルの側面、すなわち、液晶パネルに含まれる基板の側面を通じて光を受け入れ、映像を表示する。よって、本発明による液晶表示装置は、光源より発生する光を水平方向にガイドする部材を別途に含む必要がない。これによって、本発明による液晶表示装置は、よりスリムである。
【図面の簡単な説明】
【０００８】
【図１】本発明の第１の実施例による液晶表示装置の分解斜視図である。
【図２】本発明の第１の実施例による液晶表示装置の一断面図である。
【図３】本発明の第２の実施例による液晶パネルの一断面図である。
【図４】本発明の第３の実施例による液晶表示装置の一断面図である。
【図５】本発明の第４の実施例による液晶表示装置の一断面図である。
【発明を実施するための形態】
【０００９】
実施例の説明にあたり、各パネル、基板、層（膜）、領域、パターン、シート、部材または構造物などの構成要素が、各パネル、基板、層（膜）、領域、パターン、シート、部材または構造物などの構成要素の「上（on）」または「下部（under）」に形成されることと記載される場合、「上（on）」と「下部（under）」は「直接（directly）」または「他の層を介在して（indirectly）」形成されることを皆含む。また、各構成要素の上または下部に対する基準は、図面を基準として説明する。
【００１０】
図面で各構成要素の厚さや寸法は説明の便宜及び明確性のために誇張、省略、または概略的に図示されている。また、各構成要素の寸法は、実際の大きさを全面的に反映するものではない。
【００１１】
図１は、本発明の第１の実施例による液晶表示装置の分解斜視図であり、図２は、本発明の第１の実施例による液晶表示装置の一断面図である。
【００１２】
図１及び図２に示しているように、液晶表示装置はケース１００、反射シート２００、光学シート３００、液晶パネル４００、連結基板５００、発光ダイオード６００及び散乱部材７００を含む。
【００１３】
ケース１００は反射シート２００、光学シート３００、液晶パネル４００、連結基板５００、発光ダイオード６００及び散乱部材７００を収容する。
【００１４】
反射シート２００はケース１００の内側に配置される。反射シート２００は発光ダイオード６００で発生する光を上方に反射させる。
【００１５】
光学シート３００は通過する光の特性を向上させる。光学シート３００は第１のプリズムシート３１０、偏光シート３２０及び第２のプリズムシート３３０を含む。
【００１６】
第１のプリズムシート３１０は液晶パネル４００の下部に配置され、反射シート２００の上に配置される。より詳細には、第１のプリズムシート３１０は散乱部材７００と反射シート２００との間に介在する。また、第１のプリズムシート３１０は散乱部材７００及び反射シート２００にそれぞれ接触している。
【００１７】
第１のプリズムシート３１０は第１の方向に延びる第１のプリズムパターンを含む。第１のプリズムシート３１０は通過する光を屈折または集光させ、液晶パネル４００の輝度を増加させる。
【００１８】
偏光シート３２０は液晶パネル４００の上に配置される。偏光シート３２０は通過する光を一定方向に偏光させる。偏光シート３２０は液晶パネル４００上に密着させることができる。
【００１９】
第２のプリズムシート３３０は偏光シート３２０の上に配置される。第２のプリズムシート３３０は第２の方向に延びる第２のプリズムパターンを含む。第１のプリズムシート３１０と同じく第２のプリズムシート３３０は通過する光を屈折または集光させ、液晶パネル４００の輝度を増加させる。
【００２０】
液晶パネル４００はケース１００の内側に配置される。液晶パネル４００は通過する光の強度を、映像を表示する単位のピクセル毎に調節する。液晶パネル４００はＴＦＴ基板４１０、カラーフィルタ基板４２０及び液晶層４３０を含む。
【００２１】
ＴＦＴ基板４１０は連結基板５００を通じて信号が印加され、ピクセル毎に電界を形成する。ＴＦＴ基板４１０はベース基板４１１、偏光層４１２及びＴＦＴ層４１３を含む。
【００２２】
ベース基板４１１はガラス基板または石英基板である。ベース基板４１１は透明または半透明である。
【００２３】
偏光層４１２はベース基板４１１上に配置される。より詳細には、偏光層４１２はベース基板４１１の上面全面にコーティングされて形成される。偏光層４１２は通過する光を一定方向に偏光させる。
【００２４】
例えば、偏光層４１２は、ベース基板４１１に薄膜結晶フィルム（thin crystal film：ＴＣＦ）がコーティングされて形成されることができる。
【００２５】
より詳細には、偏光層４１２は次のような工程によって形成されることができる。まず、ベース基板４１１は洗浄される。そしてベース基板４１１はプラズマ処理される。
【００２６】
その後、薄膜結晶フィルムがＦＡＳスロットダイコーティング法（ＦＡＳ Slot die coating）、またはメイヤーロッドコーティング法（Mayer rod coating）等によってベース基板４１１上にコーティングされる。この時、薄膜結晶フィルムは、コーティングされる方向によって、偏光方向が決定される。
【００２７】
コーティングされた薄膜結晶フィルムは脱イオン水等によって、パターニングすることができる。
【００２８】
その後、薄膜結晶フィルムは、塩化バリウム（BaCl2）等によって、安定化される。
【００２９】
その後、安定化された薄膜結晶フィルムは、約６０〜１３０℃の温度で熱処理される。
【００３０】
また、偏光層４１２は反射型偏光フィルムを含むことができる。反射型偏光フィルムとしては、例えば、ＤＢＥＦ（ Dual Brightness Enhancement Film ）等を挙げることができる。反射型偏光フィルムは、通過する光の一部を偏光させ、他の一部を反射させる。
【００３１】
反射型偏光フィルムは例えば、数百個の圧縮された層を含んでおり、圧縮された層は、隣接する層の屈折率が相互異なるように配置される。
【００３２】
ＴＦＴ層４１３は偏光層４１２の上に形成される。ＴＦＴ層４１３は、多数個の配線、多数個の薄膜トランジスタ及び画素電極を含む。ＴＦＴ層４１３は、連結基板５００を通じて電気的な信号が印加され、それぞれのピクセル毎に電界を形成する。
【００３３】
一方、偏光層４１２はＴＦＴ層４１３上に配置することができる。
【００３４】
カラーフィルタ基板４２０は、ＴＦＴ基板４１０に対向して配置される。カラーフィルタ基板４２０は、多数個のカラーフィルタを含む。カラーフィルタ基板４２０及びＴＦＴ基板４１０は、シール部材４４０によって結合される。
【００３５】
液晶層４３０は、ＴＦＴ基板４１０とカラーフィルタ基板４２０との間に介在する。液晶層４３０は、液晶を含む。
【００３６】
また、ＴＦＴ層４１３の上にはドライバＩＣ４０１が実装される。
【００３７】
連結基板５００は、ＴＦＴ基板４１０に電気的に連結され、物理的に連結される。例えば、連結基板５００は、ＴＦＴ層４１３に形成された配線に電気的に連結される。
【００３８】
連結基板５００は一般的にフレキシブル回路基板から形成される。連結基板５００は、液晶表示装置を駆動するためのメイン基板に電気的に連結される。
【００３９】
発光ダイオード６００は、連結基板５００の上に直接実装される。また、発光ダイオード６００は、液晶パネル４００の側面に配置される。より詳細には、発光ダイオード６００は、ＴＦＴ基板４１０の側面、すなわちベース基板の側面に配置される。
【００４０】
発光ダイオード６００の高さはＴＦＴ基板４１０の厚さと実質的に同一である。一方、発光ダイオード６００の高さはＴＦＴ基板４１０の厚さより大きくすることもできる。
【００４１】
発光ダイオード６００は光を発生させ、液晶パネル４００の側面に対して光を射出する。より詳細には、発光ダイオード６００はベース基板４１１の側面に対して光を射出する。すなわち、発光ダイオード６００の光を射出する射出面６１０はベース基板４１１の側面に向かっている。
【００４２】
散乱部材７００は液晶パネル４００の下部に配置される。より詳細には散乱部材７００はベース基板４１１の下部に配置される。散乱部材７００は、ベースフィルム７１０及び突起パターン７２０を含む。
【００４３】
ベースフィルム７１０は透明である。ベースフィルム７１０に用いられる物質の例としては樹脂等を挙げることができる。
【００４４】
突起パターン７２０はベースフィルム７１０から突起されている。突起パターン７２０は、ベースフィルム７１０と一体に形成されることができる。突起パターン７２０は、位置によって、単位面積当たりの突起の個数（以下、突起密度とする）が異なるように形成することができる。
【００４５】
例えば、突起密度は第２の方向に進むほど高くなる。一方、突起密度は、発光ダイオード６００から距離が離れるほど高くなるようにすることができる。
【００４６】
散乱部材７００は、突起パターン７２０が液晶パネル４００に向かうように配置され、粘着部材８００によってベース基板４１１に密着される。より詳細には、粘着部材８００は散乱部材７００に密着され、ベース基板４１１に密着される。
【００４７】
粘着部材８００の屈折率は、ベース基板４１１の屈折率と実質的に同一である。より詳細には、粘着部材８００の屈折率は、ベース基板４１１の屈折率に対応している。
【００４８】
よって、ベース基板４１１に入射される光は粘着部材８００に容易に入射されることができる。そして、粘着部材８００に入射される光は突起パターン７２０によって、散乱される。
【００４９】
より詳細には、粘着部材８００の屈折率とベース基板４１１の屈折率が実質的に同一であるので、ベース基板４１１の側面を通じて入射される光はより容易に散乱される。
【００５０】
別の実施例では、粘着部材８００の屈折率は、ベース基板４１１の屈折率より大きくなるようにすることができる。
【００５１】
粘着部材８００に用いることができる物質の例としてはＰＳＡ（pressure sensitive adhesive）等を挙げることができる。
【００５２】
発光ダイオード６００から射出される光は、ベース基板４１１の側面を通じて入射される。入射された光は散乱部材７００によって散乱され、ベース基板４１１内で全反射される。
【００５３】
入射された光の一部は上方に射出され、入射された光の他の一部は下方に射出される。この時、上方に射出される光は、偏光層４１２を通過して偏光され、映像表示に使われる。
【００５４】
また、下方に射出される光は第１のプリズムシート３１０を通過し、反射シート２００によって反射されて、再び第１のプリズムシート３１０を通過する。
【００５５】
その後、第１のプリズムシート３１０を２回通過した光は、第１のプリズムシート３１０によって特性が向上され、映像表示に使われる。
【００５６】
本実施例による液晶表示装置は、ベース基板４１１の側面を通じて光が入射され、入射された光によって映像が表示されるので、導光板などを必要としない。
【００５７】
よって、本実施例による液晶表示装置は、既存の導光板を別途用いる方式よりスリムである。
【００５８】
また、液晶パネル４００の内側に偏光層４１２が配置され、散乱部材７００及び反射シート２００の間に第１プリズムシート３１０が配置されるので、本実施例による液晶表示装置はより向上された画質を有する。
【００５９】
また、液晶パネル４００及び発光ダイオード６００に、駆動信号が連結基板５００によって印加される。換言すれば、１つの基板によって、液晶パネル４００及び発光ダイオード６００に駆動信号が印加される。
【００６０】
よって、本実施例による液晶表示装置はより簡単に形成することができる。
【００６１】
また、発光ダイオード６００は連結基板５００に実装されるので、ベース基板４１１の側面により近く配置されることができる。従って、発光ダイオード６００から漏れる光が減少する。
【００６２】
よって、本実施例による液晶表示装置はより向上された輝度を有する。
【００６３】
図３は、本発明の第２の実施例による液晶パネルの一断面図である。第２の実施例では上述された第１の実施例を参照に、反射透過層に対して追加的に説明される。
【００６４】
図３に示すように、液晶パネル４００は反射透過層４１４を含む。反射透過層４１４は、偏光層４１２とベース基板４１１との間に介在する。反射透過層４１４は入射される光の一部を通過させ、他の一部を反射させる。
【００６５】
この時、反射透過層４１４は多数個の透明な層が積層されて形成され、透明な層は、相互に接する層の屈折率が異なるように配置される。
【００６６】
ベースフィルム７１０に入射される光は、ベースフィルム７１０によって全反射され、また、反射透過層４１４内で一部が全反射される。
【００６７】
よって、ベースフィルム７１０に入射される光はより均一に、上方に射出されることができ、本実施例による液晶表示装置はより向上された輝度均一性を有する。
【００６８】
図４及び図５は、本発明の第３及び第４の実施例による液晶表示装置の断面図である。第３及び第４の実施例では上述された第１及び第２の実施例を参照して、光学シートの位置に対して追加的に説明される。
【００６９】
図４に示すように、第１のプリズムシート３１０は、偏光シート３２０と液晶パネル４００との間に配置される。この時、第１プリズムシート３１０、偏光シート３２０及び第２プリズムシート３３０は、相互に密着するようにすることができる。
【００７０】
一方、図５に示すように、第１のプリズムシート３１０は、偏光シート３２０と第２プリズムシート３３０との間に介在するようにすることができる。
【００７１】
第１のプリズムシート３１０は液晶パネルの上に配置されるので、映像を表示するための全ての光は第１のプリズムシート３１０を通過する。
【００７２】
よって、実施例による液晶表示装置はより向上された画質を有する。
【００７３】
以上、本発明を、実施例を中心に説明したが、これは単に例示であり、本発明を限定するものではない。本発明が属する分野において通常の知識を有する者であれば、本発明の本質的な特性を脱しない範囲内で、以上に例示されていない多様な変形と応用が可能であることは自明である。また、本発明の実施例において、具体的に示された各構成要素は変形して実施することができるものである。そして、このような変形と応用に係る差異は、添付された請求範囲にて規定する本発明の範囲に含まれるものと解釈されるべきである。
【産業上の利用可能性】
【００７４】
本発明による液晶表示装置は、映像を表示するものに用いることができる。
【図１】
2010521714.tif 000003
【図２】
2010521714.tif 000004
【図３】
2010521714.tif 000005
【図４】
2010521714.tif 000006
【図５】
2010521714.tif 000007
【国際調査報告】
2010521714.tif 000008
2010521714.tif 000009